(57)【特許請求の範囲】
【請求項１】
畝の右及び左の外側に位置する畝間に接地して機体を支持する右及び左の車輪と、
畝に作付けされた作物の下側の畝の土中を進行しながら土を崩す土崩し体と、
畝に作付けされた作物の葉茎を挟持して作物を畝から上方に引き上げる引き上げ装置と、前記引き上げ装置によって引き上げられた作物の葉茎において前記引き上げ装置よりも下側の部分を切断する切断装置とを備えて、前記切断装置により葉茎が切断された作物が畝に落とされるように構成し、
前記土崩し体の後側で畝の土中を進行しながら、土を畝の左右一方の肩部に押し出して、畝の左右一方の肩部に補充する押し出し体を備えている根菜類収穫機。
【請求項２】
前記押し出し体の畝の肩部から遠い部分よりも畝の肩部に近い部分が後側に位置するように、前記押し出し体が斜めの姿勢に配置されている請求項１に記載の根菜類収穫機。
【請求項３】
前記押し出し体が前後方向に往復駆動されるように構成されている請求項２に記載の根菜類収穫機。
【請求項４】
前後方向に往復駆動される前記土崩し体の後側に位置するように、前記押し出し体が前記土崩し体に連結されることによって、前記押し出し体が前後方向に往復駆動されるように構成されている請求項３に記載の根菜類収穫機。
【請求項５】
２条の作物の列において、右の作物の列に対応する右の前記土崩し体、及び、左の作物の列に対応する左の前記土崩し体を備え、
右及び左の前記土崩し体のうち畝の肩部から遠い前記土崩し体に、前記押し出し体が連結されている請求項４に記載の根菜類収穫機。
【請求項６】
前記押し出し体が畝の肩部に近い前記土崩し体の後側に位置するまで延出されている請求項５に記載の根菜類収穫機。
【発明の詳細な説明】
【技術分野】
【０００１】
本発明は、玉ねぎや人参、大根等の根菜類の作物を収穫する根菜類収穫機に関するもので、特に畝に作付けされた作物を収穫する根菜類収穫機に関する。
【背景技術】
【０００２】
根菜類の一例である玉ねぎでは、特許文献１に開示されているように、一つの畝に複数条の玉ねぎが作付けされることがある（特許文献１では、一つの畝に４条の作物列）。
特許文献１に開示された根菜類収穫機では、畝間に位置する右及び左の車輪（特許文献１の図１，２，３の２，３）により機体が支持されて、土崩し体（特許文献１の図１，３，４の１３）、引き上げ装置（特許文献１の図１及び図２の１２）、及び切断装置（特許文献１の図１，２，４の１５）が、機体に備えられている。
【０００３】
これにより特許文献１によると、機体の進行に伴って、土崩し体が畝に作付けされた作物の下側の畝の土中を進行しながら土を崩して、作物が畝から引き上げられ易くなる状態を作り出し、引き上げ装置が畝に作付けされた作物の葉茎を挟持して作物を畝から上方に引き上げて、切断装置が引き上げられた作物の葉茎において引き上げ装置よりも下側の部分を切断するのであり、葉茎が切断された作物が畝に落とされていく。
以上のように、畝から引き上げられ葉茎が切断された作物が畝に置かれていくので、この後に、作物回収車によって畝の作物を回収したり、作業者が畝の作物を回収したりすることになる。
【先行技術文献】
【特許文献】
【０００４】
【特許文献１】特開２００２−９５３２６号公報
【発明の概要】
【発明が解決しようとする課題】
【０００５】
根菜類収穫機において、土崩し体が畝に作付けされた作物の下側の畝の土中を進行しながら土を崩すと、畝から作物が引き上げられ易くなるのであるが、これと同時に畝も崩されることになる。
特に土崩し体が畝の肩部（畝の右及び左の端部）の近くの畝の土中を進行した場合、畝の肩部が崩れることがあり、畝の肩部が崩れると、畝の肩部の近くに落とされた作物が畝から畝間に転がり落ちることがある。
【０００６】
これに対して作物回収車は、畝間に位置する右及び左の走行装置（車輪やクローラ走行装置）により機体が支持されて、機体の進行に伴って、畝の作物を回収するように構成されている。
従って、前述のように作物が畝間に転がり落ちると、この後に作物回収車によって畝の作物を回収する際に、作物回収車による畝間の作物の回収が困難なものになることがあり（作物回収車は主に畝の作物を回収することを想定している為）、作物回収車の走行装置が畝間の作物を踏んでしまうことがある。
作業者が畝の作物を回収する際においても同様に、作業者が歩く畝間に作物が転がっていると、畝や畝間に分散した作物を回収することになって手間を要するものとなるのであり、畝間も歩き難いものとなる。
本発明は、根菜類収穫機において、畝から引き上げられて畝に落とされた作物が畝から畝間に転がり落ち難くなるように構成することを目的としている。
【課題を解決するための手段】
【０００７】
［Ｉ］
（構成）
本発明の第１特徴は、根菜類収穫機において次のように構成することにある。
畝の右及び左の外側に位置する畝間に接地して機体を支持する右及び左の車輪と、
畝に作付けされた作物の下側の畝の土中を進行しながら土を崩す土崩し体と、
畝に作付けされた作物の葉茎を挟持して作物を畝から上方に引き上げる引き上げ装置と、前記引き上げ装置によって引き上げられた作物の葉茎において前記引き上げ装置よりも下側の部分を切断する切断装置とを備えて、前記切断装置により葉茎が切断された作物が畝に落とされるように構成し、
前記土崩し体の後側で畝の土中を進行しながら、土を畝の左右一方の肩部に押し出して、畝の左右一方の肩部に補充する押し出し体を備えている。
【０００８】
（作用及び発明の効果）
根菜類収穫機において、土崩し体が畝の肩部の近くの畝の土中を進行した場合、畝の肩部の下部の土が横の畝間に流れ、畝の肩部の下部の土が少なくなって、畝の肩部が崩れるものと考えられる。
【０００９】
本発明の第１特徴によると、土崩し体の後側で畝の土中を進行しながら土を畝の肩部に押し出す押し出し体を備えている。
これにより、土崩し体が畝の肩部の近くの畝の土中を進行して、畝の肩部の土が横の畝間に流れ、畝の肩部の土が少なくなることによって畝の肩部が崩れかけても、押し出し体により土が畝の肩部に押し出されて、畝の肩部に土が補充される状態となるので、畝の肩部の崩れが抑えられる。畝の肩部が崩れたとしても、押し出し体により土が補充されることによって、畝の肩部から畝間への傾斜が緩やかな崩れ方となる。
【００１０】
この場合、土崩し体の後側に押し出し体が位置しており、土崩し体により崩されてほぐされた土を押し出し体が押し出す状態となるので、押し出し体により土が畝の肩部に無理なく押し出されて、畝の肩部に土が補充される状態となる。
以上のように本発明の第１特徴によると、畝の肩部の崩れを抑えることができるので（畝の肩部が崩れたとしても、畝の肩部から畝間への傾斜が緩やかな崩れ方となるので）、畝から引き上げられて畝の肩部の近くに落とされた作物が畝から畝間に転がり落ちる状態を抑えることができる。
【００１１】
［ＩＩ］
（構成）
本発明の第２特徴は、本発明の第１特徴の根菜類収穫機において次のように構成することにある。
前記押し出し体の畝の肩部から遠い部分よりも畝の肩部に近い部分が後側に位置するように、前記押し出し体が斜めの姿勢に配置されている。
【００１２】
（作用及び発明の効果）
本発明の第２特徴によると、機体の進行に伴って、押し出し体から土を畝の肩部に押す力の成分が発生するので、押し出し体から畝の肩部へ土が無理なく押し出されるようになる。
【００１３】
［ＩＩＩ］
（構成）
本発明の第３特徴は、本発明の第２特徴の根菜類収穫機において次のように構成することにある。
前記押し出し体が前後方向に往復駆動されるように構成されている。
【００１４】
（作用及び発明の効果）
本発明の第３特徴によると、押し出し体が前後方向に往復駆動されることにより、押し出し体による畝の肩部への土の押し出し機能を高めることができるのであり、特に押し出し体が前方に駆動された際に、押し出し体から土を畝の肩部に押す力の成分（前項［ＩＩ］参照）が大きくなるので、押し出し体から畝の肩部へ土が無理なく押し出されるようになる。
【００１５】
［ＩＶ］
（構成）
本発明の第４特徴は、本発明の第３特徴の根菜類収穫機において次のように構成することにある。
前後方向に往復駆動される前記土崩し体の後側に位置するように、前記押し出し体が前記土崩し体に連結されることによって、前記押し出し体が前後方向に往復駆動されるように構成されている。
【００１６】
（作用及び発明の効果）
根菜類収穫機では、例えば特許文献１に開示されているように、土崩し体も前後方向に往復駆動されるように構成されることがある。
本発明の第４特徴によると、押し出し体を土崩し体の後側に位置するように土崩し体に連結しているので、既存の構造である土崩し体の支持構造及び前後方向の往復駆動構造を押し出し体の支持構造及び前後方向の往復駆動構造に利用することができて、構造の簡素化の面で有利なものとなる。
【００１７】
［Ｖ］
（構成）
本発明の第５特徴は、本発明の第４特徴の根菜類収穫機において次のように構成することにある。
２条の作物の列において、右の作物の列に対応する右の前記土崩し体、及び、左の作物の列に対応する左の前記土崩し体を備え、
右及び左の前記土崩し体のうち畝の肩部から遠い前記土崩し体に、前記押し出し体が連結されている。
【００１８】
（作用及び発明の効果）
根菜類収穫機では、例えば特許文献１に開示されているように、右及び左の土崩し体を備えて、右及び左の土崩し体を２条の作物の列に対応させるように構成することがある。
この場合、機体の構成の面から右及び左の土崩し体のうち、例えば右の土崩し体が常に畝の肩部に近い側に位置し、左の土崩し体が畝から遠い側に位置するように、機体が構成されることが多い。
【００１９】
本発明の第５特徴によると、右及び左の土崩し体のうち畝の肩部から遠い土崩し体に押し出し体が連結されており、押し出し体が畝の肩部から畝の内方に少し離れている。
これにより、押し出し体が畝の肩部に接近して畝の肩部を崩してしまうという状態を避けながら、押し出し体により土が畝の肩部に押し出されるようにすることができる。
【００２０】
［ＶＩ］
（構成）
本発明の第６特徴は、本発明の第５特徴の根菜類収穫機において次のように構成することにある。
前記押し出し体が畝の肩部に近い前記土崩し体の後側に位置するまで延出されている。
【００２１】
（作用及び発明の効果）
本発明の第６特徴によると、前項［Ｖ］に記載のように、右及び左の土崩し体のうち畝の肩部から遠い土崩し体に押し出し体を連結した場合、押し出し体が畝の肩部に近い土崩し体の後側に位置するまで延出されているので、押し出し体を畝の肩部から適切な距離に位置させながら（接近し過ぎないようにしながら）、押し出し体の先端部を畝の肩部に接近させて、押し出し体による畝の肩部への土の押し出し機能を十分に発揮させることができる。
【図面の簡単な説明】
【００２２】
【図１】玉ねぎ収穫機の全体側面図である。
【図２】玉ねぎ収穫機の全体平面図である。
【図３】玉ねぎ収穫機の全体正面図である。
【図４】茎葉引き上げ装置、掻き上げ装置、引き上げ装置、搬送装置、切断装置及び放出装置等の側面図である。
【図５】茎葉引き上げ装置、右及び左の土崩し体、押し出し体、搬送装置及び切断装置等の平面図である。
【図６】茎葉引き上げ装置、右及び左の土崩し体、押し出し体、搬送装置、切断装置等の正面図である。
【図７】左の支持部材、左の土崩し体及び押し出し体の側面図である。
【図８】（ａ）左の支持部材の側面図、（ｂ）左の土崩し体の側面図、（ｃ）押し出し体の側面図である。
【図９】発明の実施の第１別形態において茎葉引き上げ装置、右及び左の土崩し体、押し出し体、搬送装置、切断装置及び案内部材等の平面図である。
【図１０】発明の実施の第２別形態において茎葉引き上げ装置、右及び左の土崩し体、押し出し体、搬送装置及び切断装置等の平面図である。
【発明を実施するための形態】
【００２３】
［１］
図１，２，３に根菜類収穫機の一例である歩行型の玉ねぎ収穫機が示されており、先ず玉ねぎ収穫機の全体構成について説明する。
玉ねぎ収穫機は、ミッションケース１にエンジン２が支持され、ミッションケース１から右及び左に延出された車軸ケース３及び伝動ケース４に右及び左の後輪５（車輪に相当）が支持されており、前方に延出された右及び左の支持フレーム６の右の支持フレーム６に、前輪７（車輪に相当）が支持されている。
【００２４】
図１，２，３に示すように、後方に操縦ハンドル８が延出されて、操縦ハンドル８に備えられた調整ハンドル９により、右の支持フレーム６に対する前輪７の高さを調節することができるのであり、右の支持フレーム６に対する前輪７の高さを調節することによって機体の前後方向の姿勢（傾斜）を調節することができる。
【００２５】
図１，２，３に示すように、右及び左の支持フレーム６の前部から、茎葉引き上げ装置１０、掻き上げ装置１１、引き上げ装置１２、右及び左の土崩し体１３、搬送装置１４、切断装置１５及び放出装置１６が備えられている。エンジン２の動力により、右及び左の後輪５、茎葉引き上げ装置１０、掻き上げ装置１１、引き上げ装置１２、右及び左の土崩し体１３、搬送装置１４、切断装置１５及び放出装置１６が駆動される。
【００２６】
図１，２，３に示すように、圃場に複数の畝Ａが形成され、一つの畝Ａに４条の玉ねぎＷ（作物に相当）（作物の列に相当）が作付けされている。
玉ねぎ収穫機は、前輪７及び後輪５を畝間Ａ２に接地させて畝Ａを跨ぐ状態で機体が進行するのであり、畝Ａの４条の玉ねぎＷのうち、機体の進行方向に向かって右の２条の玉ねぎＷを収穫する。
【００２７】
図１，２，３に示すように、機体の進行に伴って、右及び左の土崩し体１３が畝Ａに作付けされた玉ねぎＷの下側の畝Ａの土中を進行しながら土を崩して、玉ねぎＷが畝Ａから引き上げられ易くなる状態を作り出し、引き上げ装置１２が畝Ａに作付けされた玉ねぎＷの葉茎Ｗａを挟持して玉ねぎＷを畝Ａから上方に引き上げて、引き上げられた玉ねぎＷの葉茎ａにおいて引き上げ装置１２よりも下側の部分を切断装置１５が切断するのであり、葉茎Ｗａが切断された玉ねぎＷが畝Ａに落とされていく。
この後、作物回収車によって畝Ａの玉ねぎＷを回収したり、作業者が畝Ａの玉ねぎＷを回収したりする。以下に玉ねぎ収穫機の各部の説明を行う。
【００２８】
［２］
次に、茎葉引き上げ装置１０及び掻き上げ装置１１について説明する。
図２，３，４に示すように、茎葉引き上げ装置１０は、前後方向に沿った支持ケース１０ａの内部にチェーン１０ｂが回転駆動自在に支持されて、チェーン１０ｂに支持された多数のアーム１０ｃが支持ケース１０ａから前方に突出しており、チェーン１０ｂ及びアーム１０ｃが支持ケース１０ａに沿って下から上に回転駆動される。
【００２９】
図２，３，４に示すように、２条の玉ねぎＷの間に位置するように、３組の茎葉引き上げ装置１０が備えられて、斜め後方上方に向くように備えられており、茎葉引き上げ装置１０の下部に平板状のデバイダ１７が固定されている。
これにより、機体の進行に伴ってデバイダ１７により玉ねぎＷの茎葉Ｗａが分けられながら、茎葉引き上げ装置１０によって玉ねぎＷの茎葉Ｗａが引き上げられる。
【００３０】
図２，３，４に示すように、掻き上げ装置１１は、多数のアーム１１ｂを備えた一対のベルト１１ａが互いに対向するように配置されて、斜め後方上方に向くように備えられており、ベルト１１ａが回転駆動される。
これにより、機体の進行に伴って茎葉引き上げ装置１０によって引き上げられた２条の玉ねぎＷの茎葉Ｗａが、中央に集められながら掻き上げ装置１１のベルト１１ａの間を後方上方に掻き上げられる。
【００３１】
［３］
次に、土崩し体１３及び引き上げ装置１２について説明する。
図５，６，７に示すように、右及び左の支持フレーム６の前部の横軸芯Ｐ１周りに、右及び左の支持部材１８が前後方向に揺動自在に支持されており、支持部材１８の上部に右及び左の駆動ロッド２０が接続されている。これにより、右及び左の駆動ロッド２０が前後方向に往復駆動されて、右及び左の支持部材１８が横軸芯Ｐ１周りに前後方向に往復駆動される。
【００３２】
図５，６，７に示すように、右及び左の土崩し体１３は板材を正面視でＬ字状に折り曲げて構成されており、右及び左の土崩し体１３の横向き部１３ｂが互いに対向するように右及び左の土崩し体１３が右及び左の支持部材１８に連結されている。右及び左の土崩し体１３の前縁部１３ａが、断面でテーパーを持つように刃物状に構成されており、右及び左の土崩し体１３の横向き部１３ｂが、後上がり状の面になるように構成されている。
【００３３】
図５及び図６に示すように、右の支持部材１８に右の土崩し体１３が連結され、左の支持部材１８に左の土崩し体１３及び押し出し体１９が連結されている。押し出し体１９の構造及び機能について、後述する［５］及び［６］において説明する。
これにより、図５及び図６に示すように、畝Ａの４条の玉ねぎＷのうち、機体の進行方向に向かって右の２条の玉ねぎＷにおいて、右の土崩し体１３は前述の２条のうちの右の１条の玉ねぎＷの下側の畝Ａの土中を進行しながら、前後に往復駆動されて畝Ａの土を崩す。左の土崩し体１３は前述の２条のうちの左の１条の玉ねぎＷの下側の畝Ａの土中を進行しながら、前後に往復駆動されて畝Ａの土を崩す。
【００３４】
図２及び図４に示すように、引き上げ装置１２は、幅広の一対のベルト１２ａが互いに対向して接するように配置されて、斜め後方上方に向くように備えられており、ベルト１２ａが回転駆動される。
これにより、前項［２］に記載のように、機体の進行に伴って２条の玉ねぎＷの茎葉Ｗａが、中央に集められて掻き上げ装置１１のベルト１１ａの間を後方上方に掻き上げられながら、右及び左の土崩し体１３により２条の玉ねぎＷの下側の畝Ａの土が崩されるのであり（玉ねぎＷが畝Ａから引き上げられ易くなるのであり）、玉ねぎＷの茎葉Ｗａが引き上げ装置１２に挟持されて引き上げられて、玉ねぎＷが畝Ａから引き上げられる。
【００３５】
［４］
次に、搬送装置１４、切断装置１５及び放出装置１６について説明する。
図１，２，４に示すように、搬送装置１４は、幅広の一対のベルト１４ａが互いに対向して接するように配置されて、搬送装置１４（ベルト１４ａ）の前端が引き上げ装置１２（ベルト１２ａ）の後側に近接するように略水平に備えられており、ベルト１２ａが回転駆動される。
【００３６】
図１，２，４に示すように、切断装置１５は回転駆動される円板状のカッターにより構成されており、搬送装置１４の中央部の上方に備えられている。放出装置１６は、搬送装置１４の後端に備えられており、横軸芯周りで回転駆動されるベルト１６ａにより構成されている。
【００３７】
これにより、前項［３］に記載のように、機体の進行に伴って玉ねぎＷの茎葉Ｗａが引き上げ装置１２に挟持されて引き上げられて、玉ねぎＷが畝Ａから引き上げられると、玉ねぎＷが搬送装置１４の前部に達して、玉ねぎＷの茎葉Ｗａの下部が搬送装置１４に挟持される。
【００３８】
この場合、引き上げ装置１２においてベルト１２ａの挟持力が、前半で強く、後半で弱くなるように構成されている。これにより、玉ねぎＷの茎葉Ｗａが引き上げ装置１２に挟持されて引き上げられて玉ねぎＷが畝Ａから引き上げられた状態で、玉ねぎＷの茎葉Ｗａの下部が搬送装置１４に挟持されると、搬送装置１４のベルト１４ａの挟持力が引き上げ装置１２のベルト１２ａの挟持力に勝つ状態となるので、玉ねぎＷが搬送装置１４に挟持されて後方に搬送され、引き上げ装置１２に対して玉ねぎＷの茎葉Ｗａが滑りながら後方に移動する状態となる。
【００３９】
前述のように、玉ねぎＷが搬送装置１４に挟持されて後方に搬送されると、玉ねぎＷの茎葉Ｗａが切断装置１５の位置に達して切断されるのであり、茎葉Ｗａが切断された玉ねぎＷが搬送装置１４の後端に達すると、放出装置１６により玉ねぎＷが上下向き姿勢から横向き姿勢に姿勢変更されながら放出されて畝Ａに落下する。
【００４０】
［５］
次に、押し出し体１９の構造について説明する。
図５，６，７に示すように、板材を正面視でＬ字状に折り曲げて押し出し体１９が構成されており、押し出し体１９が左の土崩し体１３（右及び左の土崩し体１３のうち畝Ａの肩部Ａ１から遠い土崩し体１３に相当）に連結されている。
【００４１】
図５，６，７に示すように、押し出し体１９の横向き部１９ａが後上がり状の面になるように構成されており、押し出し体１９の横向き部１９ａが、左の土崩し体１３の後側に位置するように左の土崩し体１３から右斜め後方に延出されて、押し出し体１９の横向き部１９ａの先端部１９ｄが右の土崩し体１３の後側に位置している。
（押し出し体１９の畝Ａの肩部Ａ１から遠い部分よりも畝Ａの肩部Ａ１に近い部分が後側に位置するように、押し出し体１９が斜めの姿勢に配置された状態に相当）（押し出し体１９が畝Ａの肩部Ａ１に近い土崩し体１３の後側に位置するまで延出されている状態に相当）。
【００４２】
図８（ａ）に示すように、右及び左の支持部材１８に、前側の上下２個の連結孔１８ａ及び後側の上下２個の連結孔１８ｂが開口されている。図８（ｂ）に示すように、右及び左の土崩し体１３に、上下５個の連結孔１３ｃが開口されている。図８（ｃ）に示すように、押し出し体１９に、前側の上下２個の縦長の連結孔１９ｂ及び後側の上下２個の縦長の連結孔１９ｃが開口されている。
【００４３】
図７に示す状態は、左の支持部材１８の前側の連結孔１８ａ、左の土崩し体１３の上から２個目及び４個目の連結孔１３ｃ、及び、押し出し体１９の前側の連結孔１９ｂにボルト２１を挿入することにより、左の支持部材１８と左の土崩し体１３の間に押し出し体１９を挟み込むようにして、左の支持部材１８に左の土崩し体１３及び押し出し体１９を連結している状態である（左の土崩し体１３に押し出し体１９を連結している状態）。
【００４４】
図７及び図８（ｂ）に示す構造により、ボルト２１を挿入する連結孔として、左の土崩し体１３の上から１個目及び３個目の連結孔１３ｃを使用したり、左の土崩し体１３の上から３個目及び５個目の連結孔１３ｃを使用することにより、左の支持部材１８に対する左の土崩し体１３の連結位置を上下に変更することができる。
左の支持部材１８の前側の連結孔１８ａを使用したり、左の支持部材１８の後側の連結孔１８ｂを使用したりすることにより、左の支持部材１８に対する左の土崩し体１３の連結位置を前後に変更することができる。
【００４５】
図７及び図８（ｃ）に示す構造により、ボルト２１を挿入する連結孔として、左の支持部材１８の前側の連結孔１８ａを使用したり、左の支持部材１８の後側の連結孔１８ｂを使用したり、押し出し体１９の前側の連結孔１９ｂを使用したり、押し出し体１９の後側の連結孔１９ｃを使用したりすることにより、左の支持部材１８に対する押し出し体１９の連結位置を前後に変更することができる。
押し出し体１９の前側及び後側の連結孔１９ｂ，１９ｃの上下範囲内において、左の支持部材１８に対する押し出し体１９の連結位置を上下に変更することができる。
【００４６】
右の支持部材１８及び右の土崩し体１３においては、押し出し体１９が連結されていないだけで、前述の左の支持部材１８及び左の土崩し体１３と同様に、右の支持部材１８に対する右の土崩し体１３の連結位置を上下及び前後に変更することができる。
【００４７】
［６］
次に、押し出し体１９の機能について説明する。
図３，５，６に示すように、一つの畝Ａに４条の玉ねぎＷが作付けされて、前輪７及び後輪５を畝間Ａ２に接地させて畝Ａを跨ぐ状態で、右の２条の玉ねぎＷを収穫する状態において、右の土崩し体１３が畝Ａの右の肩部Ａ１から畝Ａの土中に進入して玉ねぎＷの下側に位置しており、左の土崩し体１３及び押し出し体１９が畝Ａの上面（玉ねぎＷの間）から畝Ａの土中に進入して玉ねぎＷの下側に位置している。
【００４８】
図３，５，６に示す状態において、機体が進行すると、右の土崩し体１３により畝Ａの右の肩部Ａ１が崩されることがある（畝Ａの右の肩部Ａ１の土が横の畝間Ａ２に流れ、畝Ａの右の肩部Ａ１の土が少なくなることがある）。
【００４９】
前述の状態において、機体の進行に伴って、左の土崩し体１３及び押し出し体１９が前後に往復駆動されるので、右及び左の土崩し体１３により崩されてほぐされた土が、押し出し体１９により右斜め前方で斜め上方に押し出される状態となる。
（押し出し体１９の横向き部１９ａが左の土崩し体１３の後側に位置するように左の土崩し体１３から右斜め後方に延出されている点、押し出し体１９の横向き部１９ａの先端部１９ｄが右の土崩し体１３の後側に位置している点、並びに、押し出し体１９の横向き部１９ａが後上がり状の面である点による）。
【００５０】
以上のように、押し出し体１９により土が右斜め前方で斜め上方に押し出されることにより、畝Ａの右の肩部Ａ１に土が補充される状態となるので、畝Ａの右の肩部Ａ１の崩れが抑えられる。畝Ａの右の肩部Ａ１が崩れたとしても、押し出し体１９により土が補充されることによって、畝Ａの右の肩部Ａ１から畝間Ａ２への傾斜が緩やかな崩れ方となる。
従って、放出装置１６から畝Ａの右の肩部Ａ１の近くに落とされた玉ねぎＷが畝Ａ（畝Ａの右の肩部Ａ１）から畝間Ａ２に転がり落ちる状態を抑えることができる。
【００５１】
［発明の実施の第１別形態］
前述の［発明を実施するための形態］において、図９に示すように、平板状の縦向きの案内部材２２を、前部が機体の右外側に位置し後部が機体の左右中央側に位置する斜めの姿勢で、放出装置１６よりも前側に位置して畝Ａの右の肩部Ａ１に位置するように、機体に固定してもよい。
【００５２】
これにより図９に示すように、押し出し体１９により土が右斜め前方で斜め上方に押し出されることにより畝Ａの右の肩部Ａ１に土が補充される状態に加えて、畝Ａの右の肩部Ａ１から崩れかけた土が案内部材２２により畝Ａの右の肩部Ａ１に戻される状態となるので、畝Ａの右の肩部Ａ１の崩れをさらに抑えることができる。
【００５３】
［発明の実施の第２別形態］
前述の［発明を実施するための形態］［発明の実施の第１別形態］において、押し出し体１９を右及び左の土崩し体１３に連結せずに機体に支持させてもよい。
【００５４】
この場合、図１０に示すように、押し出し体１９を機体から下方に延出して畝Ａの上面から畝Ａの土中に侵入させ、右及び左の土崩し体１３の間の位置から右の土崩し体１３の横向き部１３ｂの後側に位置するように右斜め後方に延出して、押し出し体１９の横向き部１３ａの先端部１９ｄが右の土崩し体１３の横向き部１３ｂの中央部付近（又は右の支持部材１８の後側付近）に位置するように構成する。
（押し出し体１９の畝Ａの肩部Ａ１から遠い部分よりも畝Ａの肩部Ａ１に近い部分が後側に位置するように、押し出し体１９が斜めの姿勢に配置された状態に相当）（押し出し体１９が畝Ａの肩部Ａ１に近い土崩し体１３の後側に位置するまで延出されている状態に相当）。
【００５５】
図１０において、押し出し体１９が前後の往復駆動されないように、押し出し体１９を機体に連結固定してもよい。
図１０において、エンジン２の動力により、押し出し体１９が前後に往復駆動されるように構成してもよい。
【００５６】
［発明の実施の第３別形態］
前述の［発明を実施するための形態］［発明の実施の第１別形態］において、押し出し体１９を左の土崩し体１３ではなく、右の土崩し体１３の横向き部１３ｂの先端部に連結してもよい。
【００５７】
この場合、押し出し体１９を右の土崩し体１３の横向き部１３ｂの先端部から右斜め後方に延出して、押し出し体１９の横向き部１３ａの先端部１９ｄが右の土崩し体１３の横向き部１３ｂの中央部付近の後側（又は右の支持部材１８の後側付近）に位置するように構成する。
（押し出し体１９の畝Ａの肩部Ａ１から遠い部分よりも畝Ａの肩部Ａ１に近い部分が後側に位置するように、押し出し体１９が斜めの姿勢に配置された状態に相当）（押し出し体１９が畝Ａの肩部Ａ１に近い土崩し体１３の後側に位置するまで延出されている状態に相当）。
【００５８】
［発明の実施の第４別形態］
前述の［発明を実施するための形態］［発明の実施の第１別形態］［発明の実施の第２別形態］［発明の実施の第３別形態］において、前輪７及び後輪５を畝間Ａ２に接地させて畝Ａを跨ぐ状態で機体が進行した場合、畝Ａの４条の玉ねぎＷのうち、機体の進行方向に向かって左の２条の玉ねぎＷを収穫するように構成してもよい。このように構成した場合、前述の［発明を実施するための形態］［発明の実施の第１別形態］［発明の実施の第２別形態］［発明の実施の第３別形態］において、以下のように構成する。
【００５９】
前述の［発明を実施するための形態］では、押し出し体１９を右の土崩し体１３（右の支持部材１８）に連結し、押し出し体１９の横向き部１９ａを、右の土崩し体１３の後側に位置するように右の土崩し体１３から左斜め後方に延出して、押し出し体１９の横向き部１９ａの先端部１９ｄを左の土崩し体１３の後側に位置させる。
【００６０】
前述の［発明の実施の第１別形態］では、案内部材２２を、前部が機体の左外側に位置し後部が機体の左右中央側に位置する斜めの姿勢で、放出装置１６よりも前側に位置して畝Ａの左の肩部Ａ１に位置するように、機体に固定する。
【００６１】
前述の［発明の実施の第２別形態］では、押し出し体１９を機体から下方に延出して畝Ａの上面から畝Ａの土中に侵入させ、右及び左の土崩し体１３の間の位置から左の土崩し体１３の横向き部１３ｂの後側に位置するように左斜め後方に延出して、押し出し体１９の横向き部１３ａの先端部１９ｄを、左の土崩し体１３の横向き部１３ｂの中央部付近（又は左の支持部材１８の後側付近）に位置させる。
【００６２】
前述の［発明の実施の第３別形態］では、押し出し体１９を左の土崩し体１３の横向き部１３ｂの先端部に連結し、押し出し体１９を左の土崩し体１３の横向き部１３ｂの先端部から左斜め後方に延出して、押し出し体１９の横向き部１３ａの先端部１９ｄを、左の土崩し体１３の横向き部１３ｂの中央部付近の後側（又は左の支持部材１８の後側付近）に位置させる。
【産業上の利用可能性】
【００６３】
本発明は、玉ねぎ収穫機ばかりではなく、人参や大根等の根菜類の作物を収穫する根菜類収穫機にも適用できる。
【符号の説明】
【００６４】
５，７  車輪
１２    引き上げ装置
１３    土崩し体
１５    切断装置
Ａ      畝
Ａ１    肩部
Ａ２    畝間
Ｗ      作物
Ｗａ    茎葉
【図１】
0006270666.tif 000002
【図２】
0006270666.tif 000003
【図３】
0006270666.tif 000004
【図４】
0006270666.tif 000005
【図５】
0006270666.tif 000006
【図６】
0006270666.tif 000007
【図７】
0006270666.tif 000008
【図８】
0006270666.tif 000009
【図９】
0006270666.tif 000010
【図１０】
0006270666.tif 000011